(57)【要約】【課題】入隅コーナー部に一般部用のサッシを近接して設置し得る納まりを提供することにより、入隅を挟んで連続する連窓サッシの施工性や品質、コストを改善し、入隅の屋内側の意匠性も向上させる。【解決手段】略正方形断面の一角に略Ｌ字断面の隅欠部３０を有する木質の隅柱３を入隅コーナー部に配置し、隅欠部３０の内側面に、入隅を挟んで隣接するサッシ枠１０の側縁から張り出した片縁部１１をそれぞれビス３２で固定する。入隅角の二等分面ｂを挟んで相対する一対の見切材４を、隅欠部３０内に差し入れて片縁部１１に重ね、それぞれ片縁部に対しビス４５で固定する。サッシ枠１０と見切材４との隙間、及び、両見切材４の隙間にシーリング４７を施工する。【選択図】図７
2008184818.tif 000002
【特許請求の範囲】
【請求項１】
建物の入隅に配置される隅柱に、略Ｌ字断面の隅欠部が屋外側に向けて設けられ、
上記隅欠部の内側面に、入隅を挟んで隣接するサッシ枠の側縁から張り出した片縁部がそれぞれ固定され、
入隅角の二等分面を挟んで相対する一対の見切材が、隅欠部に固定された上記各片縁部にそれぞれ固定され、
サッシ枠と見切材との隙間、及び両見切材の隙間にシーリングが施工されることにより、
入隅を挟んで隣接するサッシ同士が隅柱を介して固定されたことを特徴とする入隅におけるサッシの連窓構造。
【請求項２】
略正方形断面の一角に略Ｌ字断面の隅欠部を有する木質の隅柱が、該隅欠部を屋外側に向けて入隅コーナー部に配置され、
上記隅欠部の内側面に、入隅を挟んで隣接するサッシ枠の側縁から張り出した片縁部がそれぞれビス固定され、
入隅角の二等分面を挟んで相対する一対の見切材が、隅欠部に固定された上記各片縁部に屋外側から重ねられて、それぞれ片縁部に対しビス固定され、
サッシ枠と見切材との隙間、及び両見切材の隙間にシーリングが施工されることにより、
入隅を挟んで隣接するサッシ同士が隅柱を介して固定されたことを特徴とする入隅におけるサッシの連窓構造。
【請求項３】
見切材は、サッシ枠の片縁部に重ねられる固定片と、固定片の隅内側から屋外方向に迫り出す見込片と、見込片の先端から隅内方向に迫り出す見付片と、見付片の隅内側から入隅角の二等分面に沿って隅角方向に延設されたシーリング受片とを具備することを特徴とする請求項１または２に記載の入隅におけるサッシの連窓構造。
【請求項４】
一角に略Ｌ字断面の隅欠部を有する隅柱を、該隅欠部を屋外側に向けて建物の入隅に立設し、
入隅を挟んで隣接するサッシ枠の側縁から張り出した片縁部を、上記隅欠部の内側面にそれぞれ固定し、
入隅角の二等分面を挟んで相対する一対の見切材を、隅欠部に固定された上記各片縁部に屋外側から重ねてそれぞれ固定し、
サッシ枠と見切材との隙間、及び両見切材の隙間にシーリングを施工することにより、
入隅を挟んで隣接するサッシ同士を、隅柱を介して固定することを特徴とする入隅における連窓サッシの施工方法。
【請求項５】
一角に略Ｌ字断面の隅欠部を有する隅柱を、該隅欠部を屋外側に向けて建物の入隅コーナー部に立設し、
入隅を挟んで隣接するサッシ枠の側縁から張り出した片縁部に、入隅角の二等分面を挟んで相対する一対の見切材を屋外側から重ねてそれぞれ固定し、
上記サッシ枠の片縁部を上記隅欠部の内側面にそれぞれ固定し、
両見切材の隙間にシーリングを施工することにより、
入隅を挟んで隣接するサッシ同士を、隅柱を介して固定することを特徴とする入隅における連窓サッシの施工方法。
【発明の詳細な説明】
【技術分野】
【０００１】
本発明は、建物の入隅におけるサッシの連窓構造と、該構造にかかる連窓サッシの施工方法に関する。
【背景技術】
【０００２】
屋内空間の開放感を高めるために、複数の窓を水平方向に連続させた連窓サッシが用いられる。本出願人は、かかる連窓サッシにおいて、サッシ間の屋内側に独立した木柱のみをあらわすことにより、木造軸組の存在感を強調しつつ、天然材料の柔和な質感と開放感に溢れた空間を表現する構造を実用化している。これに類似した連窓サッシの納まりは、例えば特許文献１等にも開示されている。
【０００３】
ところで、上記のような連窓サッシが入隅を介して連続する場合、一般部用のサッシを入隅コーナー部に納めようとすると、サッシ枠の側縁から張り出している固定用の片縁部同士が入隅で互いに干渉してしまう。これを避けるには、入隅コーナー部を挟むサッシ間に壁部を設けるか、隅柱の断面寸法を大きくして、サッシ間の距離を離す必要がある。しかし、これでは、屋内側に独立した木柱のみをあらわす納まりの連続性や統一感が入隅部分で分断され、連窓サッシの開放感も損なわれるので、意匠的に好ましくない。
【０００４】
入隅を挟むサッシ同士をできる限り接近させて納めようとすると、例えば特許文献２〜４に開示されているような入隅・出隅専用のサッシを用いることも考えられる。しかし、これら文献記載のような納まりでは、屋内側に木柱をあらわす納まりには好適に対応しない。また、一般部用のサッシとは異なる入隅専用のサッシを用いるのは、部材の生産、管理、施工など様々な面でコスト増を招くことになる。
【０００５】
入隅柱や方立などの部材を入隅コーナー部からずらして配置し、入隅コーナー部はガラス同士を突き付けにしてシーリングで納めることも可能ではある。しかし、このように入隅コーナー部の柱等を省いたりずらしたりする納まりでは、構造的な制約が大きくなり、複層ガラスの使用も困難になる。また、突き付け箇所の強度や水密性をシーリングに依存することになるので、施工品質面での不安も残る。
【特許文献１】特開２００２−１９４９５１号公報
【特許文献２】特開平８−１２８２６４号公報
【特許文献３】実開昭６２−１０７０８５号公報
【特許文献４】特開２００６−７０４５８号公報
【発明の開示】
【発明が解決しようとする課題】
【０００６】
本発明は、上記のような事情に鑑みてなされたもので、入隅コーナー部に一般部用のサッシを近接して設置し得る構造とその施工方法を提供することにより、入隅を挟んで連続する連窓サッシの施工性や品質、コストを改善するとともに、特に入隅の屋内側の意匠性を向上させることを解決課題とする。
【課題を解決するための手段】
【０００７】
上記した目的を達成するため、本発明の入隅におけるサッシの連窓構造は、建物の入隅に配置される隅柱に、略Ｌ字断面の隅欠部が屋外側に向けて設けられ、上記隅欠部の内側面に、入隅を挟んで隣接するサッシ枠の側縁から張り出した片縁部がそれぞれ固定され、入隅角の二等分面を挟んで相対する一対の見切材が、隅欠部に固定された上記各片縁部にそれぞれ固定され、サッシ枠と見切材との隙間、及び両見切材の隙間にシーリングが施工されることにより、入隅を挟んで隣接するサッシ同士が隅柱を介して固定されたことを特徴とする。
【０００８】
また、上記発明の具体的な構成として、略正方形断面の一角に略Ｌ字断面の隅欠部を有する木質の隅柱が、該隅欠部を屋外側に向けて入隅コーナー部に配置され、上記隅欠部の内側面に、入隅を挟んで隣接するサッシ枠の側縁から張り出した片縁部がそれぞれビス固定され、入隅角の二等分面を挟んで相対する一対の見切材が、隅欠部に固定された上記各片縁部に屋外側から重ねられて、それぞれ片縁部に対しビス固定され、サッシ枠と見切材との隙間、及び両見切材の隙間にシーリングが施工されることにより、入隅を挟んで隣接するサッシ同士が隅柱を介して固定されたことを特徴とする。
【０００９】
さらに、本発明は、上記構成にかかる見切材が、サッシ枠の片縁部に重ねられる固定片と、固定片の隅内側から屋外方向に迫り出す見込片と、見込片の先端から隅内方向に迫り出す見付片と、見付片の隅内側から入隅角の二等分面に沿って隅角方向に延設されたシーリング受片とを具備することを特徴とする。
【００１０】
また、本発明の入隅における連窓サッシの施工方法は、一角に略Ｌ字断面の隅欠部を有する隅柱を、該隅欠部を屋外側に向けて建物の入隅に立設し、入隅を挟んで隣接するサッシ枠の側縁から張り出した片縁部を、上記隅欠部の内側面にそれぞれ固定し、入隅角の二等分面を挟んで相対する一対の見切材を、隅欠部に固定された上記各片縁部に屋外側から重ねてそれぞれ固定し、サッシ枠と見切材との隙間、及び両見切材の隙間にシーリングを施工することにより、入隅を挟んで隣接するサッシ同士を、隅柱を介して固定することを特徴とする。
【００１１】
また、上記施工方法とは若干、手順の異なる構成として、一角に略Ｌ字断面の隅欠部を有する隅柱を、該隅欠部を屋外側に向けて建物の入隅コーナー部に立設し、入隅を挟んで隣接するサッシ枠の側縁から張り出した片縁部に、入隅角の二等分面を挟んで相対する一対の見切材を屋外側から重ねてそれぞれ固定し、上記サッシ枠の片縁部を上記隅欠部の内側面にそれぞれ固定し、両見切材の隙間にシーリングを施工することにより、入隅を挟んで隣接するサッシ同士を、隅柱を介して固定することを特徴とする。
【発明の効果】
【００１２】
上述のように構成される本発明の入隅におけるサッシの連窓構造は、隅欠部を有する木質の隅柱が、屋外側に対してはサッシ枠の固定下地となり、ここに一般部用のサッシ枠を近接させて固定することが可能になる。入隅角の二等分面を挟んで隅欠部内に取り付けられる一対の見切材は、隣接するサッシ枠の隙間から施工することができ、良好な水密性の確保に寄与する。
【００１３】
また、隅柱は、屋内側に対しては入隅コーナー部に独立して設けられる角柱としての意匠性を保持する。これにより、屋内側に独立した木柱のみをあらわす納まりの連続性や統一感を入隅部分で分断することなく、連窓サッシの開放感を高めることができる。
【発明を実施するための最良の形態】
【００１４】
以下、本発明の実施の形態について図を参照して説明する。
【００１５】
図１は本発明の実施形態に係る連窓サッシの横断面図である。例示の連窓サッシは、引き違い式の掃き出し窓として構成されており、図中の上方が屋外側、図中の下方が屋内側である。サッシ１が直線的に連続する一般部においては、サッシ１間に、木質材からなる略正方形断面の間柱２が、その断面の略半分を屋内側に突出させるように立設される。例示形態にかかる間柱２の想定断面寸法は約１２ｃｍ角である。なお、一般的な木構造の概念では、柱間に補助的に配置される小断面の部材を間柱と呼ぶが、本明細書においては、一般部のサッシ間に立設されて構造耐力を負担する柱を、後述する隅柱と区別する意味で間柱と呼ぶ。
【００１６】
間柱２を挟んで隣接するサッシ１は、サッシ枠１０の側縁から張り出した片縁部１１を、間柱２の屋外側の見付面に貼着された下地板２１に重ねて、屋外側から間柱２に対しビス２２で固定される。さらに、その屋外側には細幅のサイディング２３が張設されて、サイディング２３とサッシ枠１０との隙間にシーリング２４が施される。屋内側は、間柱２とサッシ枠１０との見切部分に木製の額縁２５が取り付けられる。このような納まりにより、屋内側には木造軸組を構成する間柱２の木質感が強調され、柔和な質感と開放感に溢れた空間が構成される。
【００１７】
本発明の要部は、かかる連窓サッシの入隅における納まりにある。入隅コーナー部には木質材からなる異形断面の隅柱３が立設される。隅柱３は、略正方形断面の一角に略Ｌ字断面の隅欠部３０を有しており、その隅欠部３０を屋外側に向けて配置される。屋内側から見た隅柱３の見付寸法は、上記一般部に配置される間柱２の見付寸法に隅欠部３０の深さを加えた寸法になっており、間柱２と隅柱３の屋内側の見付面は同一ラインａに揃えられる。例示形態にかかる隅柱３の想定断面寸法は、屋内側の見付１８ｃｍ角、隅欠部３０の深さ６ｃｍである。なお、この隅柱３は、略正方形断面を有する無垢材または集成材の単材から隅欠部３０を切り欠いて形成されてもよいし、間柱２と同一断面の部材の二側面に他の矩形断面の部材を接合して形成されてもよい。また、意匠上の意図次第では、隅柱３の断面形状を、例示形態とは異なる適宜の多角形状や円形状としてもよい。
【００１８】
入隅を挟んで隣接するサッシは、上記一般部用のサッシ１と同じ構成のものである。図２〜図７に連窓サッシの施工手順を拡大して示す。サッシ枠１０の側縁から張り出した片縁部１１は、隅柱３に形成された隅欠部３０の内側面に対して、片側ずつビス３２で固定される（図２）。なお、例示形態では、隅欠部３０の内側面に下地板３１が予め貼着されている。隅欠部３０の深さが数ｃｍ程度であれば、この段階でサッシ枠１０の片縁部１１同士が干渉するのを避けることができ、また、ドライバの先端もビス３２に届く。
【００１９】
こうして、サッシ枠１０が隅柱３に固定されたならば、隅欠部３０の内側に、防水のための見切材４を取り付ける（図３〜図６）。見切材４は、アルミ薄板の曲げ加工材、または薄肉のアルミ押出型材等からなる一様断面の部材で、入隅角の二等分面ｂを挟んで対をなすように配置される。見切材４は、サッシ枠１０の片縁部１１に屋外側から重ねられる固定片４１と、固定片４１の隅内側から屋外方向に迫り出す見込片４２と、見込片４２の先端から隅内方向に迫り出す見付片４３と、見付片４３の隅内側から隅角方向に延びるシーリング受片４４とを具備している。
【００２０】
この見切材４を、サッシ枠１０の隙間から片側ずつ隅欠部３０内に差し入れ、固定片４１をサッシ枠１０の片縁部１１に対してビス４５で固定する。このとき、見切材４の見込片４２が隅柱３の側面と略同一面をなすように配置すると、固定片４１をサッシ枠１０の片縁部１１に対して固定するビス４５の位置は、サッシ枠１０の片縁部１１を隅柱３に固定するビス３２の位置よりも、隅角部から離れる方向にずれる。したがって、図４、図６に示すように、ドライバも無理なく操作することができる。
【００２１】
なお、例示形態では、隅柱３にサッシ枠１０の片縁部１１をビス３２で固定した後、片縁部１１に見切材４をビス４５で固定しているが、施工上、可能ならば、サッシ枠１０の片縁部１１に予め見切材４を一体に固定しておき、それらを隅柱３に対し適宜の固着手段を用いて固定してもよい。
【００２２】
こうして、隅欠部３０の両内側面に、入隅角の二等分面ｂを挟むようにして一対の見切材４が対称的に取り付けられたならば、サッシ枠１０と見切材４との隙間、及び、両見切材４の隙間にシーリングを施す（図７）。例示形態では、それぞれの隙間の想定寸法は１２ｍｍ程度であり、そこに適宜のバックアップ材４６を嵌挿してシーリング剤４７を充填している。なお、バックアップ材４６は、一方の見切材４３に予め接着するなどして取り付けておいてもよい。
【００２３】
上述のような異形の隅柱３と一対の見切材４とを用いる納まりにより、連窓サッシの入隅に、一般部用のサッシ枠１０を数ｃｍ以内に近接させて取り付けることができる。取り付け可能なサッシ枠１０の断面形状は、側縁から張り出した片縁部１１を有するものである限り、特に限定されない。したがって、広く市販されている多くのサッシを利用することができる。
【００２４】
また、隅柱３は、過大な断面寸法にならず、屋内側に対しては独立した木柱としての存在感をあらわす。したがって、入隅を挟んで直交方向に延びる一般部との意匠的な統一感も確保される。なお、見切材４の断面形状については、同様の固定形態やシーリング処理を実施しうる範囲で若干の改変も可能である。
【図面の簡単な説明】
【００２５】
【図１】本発明の実施形態に係る連窓サッシの横断面図である。
【図２】図１に示した連窓サッシの入隅における施工手順を示す部分拡大図である。
【図３】同じく、施工手順の次工程を示す部分拡大図である。
【図４】同じく、施工手順の次工程を示す部分拡大図である。
【図５】同じく、施工手順の次工程を示す部分拡大図である。
【図６】同じく、施工手順の次工程を示す部分拡大図である。
【図７】同じく、施工手順の完了形態を示す部分拡大図である。
【符号の説明】
【００２６】
１  サッシ
１０  サッシ枠
１１  片縁部
３０    隅欠部
３  隅柱
３２  ビス
４  見切材
４１  固定片
４２  見込片
４３  見付片
４４  シーリング受片
４５  ビス
４７  シーリング剤
ｂ  二等分面
【図１】
2008184818.tif 000003
【図２】
2008184818.tif 000004
【図３】
2008184818.tif 000005
【図４】
2008184818.tif 000006
【図５】
2008184818.tif 000007
【図６】
2008184818.tif 000008
【図７】
2008184818.tif 000009